(57)【特許請求の範囲】
【請求項１】
設置物を設置するための既設支持部材が設けられた既設防水層の改修に用いる改修用支持架台であって、
上板と、
前記上板から延設され前記上板を支持する側板とからなる本体と、
前記上板の上に立設され、設置物が取り付けられる他物取付部と、
前記本体の前記上板と前記側板に囲まれた内部に設けられ、前記既設支持部材と接続される一つのメネジである接続部と、
前記本体と連結し前記接続部を前記本体に支持固定する支持部とを備え、
少なくとも前記側板の表面がポリ塩化ビニル系樹脂で覆われている改修用支持架台。
【請求項２】
下地上に固定され設置物を設置するための既設支持部材と、
前記下地上に形成された既設防水層と、
前記既設支持部材の他物取付部であるオネジに接続される請求項１に記載の改修用支持架台と、
前記既設防水層及び前記改修用支持架台の一部とを一連に防水し少なくとも最表面がポリ塩化ビニル系樹脂製の防水シートである新設防水層とを備え、
前記防水シートと前記側板とが水密状態に接合されている改修防水構造。
【請求項３】
前記既設防水層と前記新設防水層との間に絶縁層を備える請求項２に記載の改修防水構造。
【請求項４】
設置物を設置するための既設支持部材が設けられた既設防水層の改修方法であって、
下地上に固定された前記既設支持部材の他物取付部であるオネジに請求項１に記載の改修用支持架台の前記接続部であるメネジを螺合し接続して固定する工程と、
前記既設防水層及び前記改修用支持架台の一部とを連続して新設のポリ塩化ビニル系樹脂製の防水シートで被覆して前記防水シートと前記側板とを水密に接合する工程とを備える改修防水工法。 
【発明の詳細な説明】
【技術分野】
【０００１】
本発明は太陽光パネル、広告設備、フェンス等の設置物を設置するための設置物支持架台が取り付けられた屋上、ベランダ、屋根等における防水層の改修構造及び改修工法と、これに用いる改修用支持架台に関する。
【背景技術】
【０００２】
屋上、ベランダ、屋根等には通常、防水層が設けられている。したがって、この防水層の上方に太陽光パネル、広告設備、フェンス等の設置物を設置する場合には、防水性を損なうことなく設置物を確実に設置固定することが求められる。従来からこの様な設置物の設置には樹脂製や金属製の支持部材が用いられている。これらの支持部材として、下地に防水シートを敷設して構成された設置対象部に対し接着自在な接地底部と、設置対象部上に設置する他物を取り付け固定自在な他物固定部とを一体的に備えた他物固定具が知られており（特許文献１）、この他物固定具は、コンクリート躯体上に直接防水シートが敷設された防水層、あるいは躯体上に断熱材などを介して防水シートが敷設された防水層の上に接着剤またはボルトなどの固定具により取り付け固定される。
【先行技術文献】
【特許文献】
【０００３】
【特許文献１】特許第４１３７８１２号公報
【０００４】
一般的に屋上等の防水層は、太陽光や雨水等にさらされて経年劣化してくるため、防水層の改修を行なう必要がある。既存防水層に前述したような支持部材が多数設けられた現場においても同様である。
【発明の概要】
【発明が解決しようとする課題】
【０００５】
既存防水層に支持部材が多数設けられた現場において、既存防水層に設置されている支持部材を撤去してから新規防水層及び支持部材を設置すると、撤去作業や支持部材の設置場所の位置決め及び設置作業など、作業工程が増加するとともに廃材の増加も問題となる。
【０００６】
そこで本発明は、既設の支持部材の大部分を撤去することなく防水層の改修が可能な改修方法を提供することを目的とする。
【課題を解決するための手段】
【０００７】
前述の課題を解決するために本発明が用いた手段は、設置物を設置するための既設支持部材が設けられた既設防水層の改修に用いる改修用支持架台であって、上板と、前記上板から延設され前記上板を支持する側板とからなる本体と、前記上板の上に立設され、設置物が取り付けられる他物取付部と、前記本体の前記上板と前記側板に囲まれた内部に設けられ、前記既設支持部材と接続される一つのメネジである接続部と、前記本体と連結し前記接続部を前記本体に支持固定する支持部とを備え、少なくとも前記側板の表面がポリ塩化ビニル系樹脂で覆われている改修用支持架台とすることである。
さらに、この改修用支持架台を用いた構造として、下地上に固定され設置物を設置するための既設支持部材と、前記下地上に形成された既設防水層と、前記既設支持部材の他物取付部であるオネジに接続される上記の改修用支持架台と、前記既設防水層及び前記改修用支持架台の一部とを一連に防水し少なくとも最表面がポリ塩化ビニル系樹脂製の防水シートである新設防水層とを備え、前記防水シートと前記側板とが水密状態に接合されている改修防水構造とすることである。また、前記既設防水層と前記新設防水層との間に絶縁層を備える改修防水構造としてもよい。
さらに、施工方法としては、設置物を設置するための既設支持部材が設けられた既設防水層の改修方法であって、下地上に固定された前記既設支持部材の他物取付部であるオネジに請求項１に記載の改修用支持架台の前記接続部であるメネジを螺合し接続して固定する工程と、前記既設防水層及び前記改修用支持架台の一部とを連続して新設のポリ塩化ビニル系樹脂製の防水シートで被覆して前記防水シートと前記側板とを水密に接合する工程とを備える改修防水工法を用いることができる。
【発明の効果】
【０００８】
本発明の改修用支持架台及びこれを用いた改修防水構造とすることで、既設の支持部材や既設防水層の大部分を撤去する必要がなく、作業が簡便であり廃材が多く出ることもない。
【図面の簡単な説明】
【０００９】
【図１】本発明の改修用支持架台を用いた改修防水構造の実施形態を示した断面図である。
【図２】本発明の改修用支持架台の実施形態を示した断面図である。
【図３】本発明の改修用支持架台を用いた改修防水構造の実施形態を示した断面図である。
【発明を実施するための形態】
【００１０】
以下、本発明の改修用支持架台および改修用支持架台を用いた改修防水構造及び改修防水工法についての実施の形態を図面に基づいて説明する。なお、本発明は以下の実施形態に限定されるものではない。
【００１１】
まず改修用支持架台を用いた改修防水構造の概要について図１により説明する。
図１は下地５の上に設置物を固定するための設置物支持部材である既存支持部材３と既存防水層４が設けられ、その上に改修用支持架台１と新設防水層２が設けられた改修防水構造を示している。改修用支持架台１は既設支持部材３に接続し固定されている。そして、この改修用支持架台１の上部には設置物（図示せず）が設置されるようになる。
【００１２】
次に改修用支持架台の主要構成を図２により説明する。
改修用支持架台１は本体１ａ、他物取付部１ｂ、接続部１ｃ、支持部１ｄより構成される。
【００１３】
本体１ａは上板１ａ−１と上板１ａ−１を支持する側板１ａ−２とを備えている。図２は改修用支持架台１の断面図を示しているが、図２の本体は上板１ａ−１を上面とし側板１ａ−２を側面とする略円柱形状である。本体１ａの形状は略円柱形状だけでなく四角柱などの略角柱形状でもよく、また側板１ａ−２は図２の本体１ａが略円柱形状である場合のように連続した面からなるものでもよく、また上板１ａ−１を支持する複数の柱状板からなるものでもよい。
【００１４】
本体１ａは合成樹脂製、金属製、木製等とすることが出来るが、強度と耐久性の面から金属製が好ましく、中でも鋼材がより好ましい。金属製とする場合には使用する金属板の厚さは１．０ｍｍ〜２０ｍｍが好ましく、強度とコストを考慮すると、３．０ｍｍ〜１０ｍｍがより好ましい。また金属製とする場合には表面を合成樹脂等で被覆したものを使用することもできる。
【００１５】
他物取付部１ｂは本体１ａの上板１ａ−１に設けられている。他物取付部１ｂは図２に示すようなオネジを有するネジ部であったり、あるいはメネジを有するものであったり、フランジ状やレール状など、取り付けられる設置物に応じた形態をとることが可能である。設置物の接続部の形状によらず様々な設置物を設置できるという点からオネジを有するネジ部とすることが好ましい実施態様である。
【００１６】
ここで他物取付部１ｂは本体１ａの上板１ａ−１に設けられているが、図２のように他物取付部１ｂと上板１ａ−１の接する部分が溶接や接着などによって固定されていてもよい。より強固に固定されるという点から溶接によって上板１ａ−１に固定されていることが好ましい。また他物取付部１ｂがオネジを有するネジ部の場合には、既製のボルト等を上板１ａ−１の内部に形成したメネジに係止したり、また上板１ａ−１に形成した孔にボルトを下方より挿入し、上方から該ボルトのオネジ部端部より挿入したナットを係止することで、他物取付部１ｂを上板１ａ−１に設けることもできる。
【００１７】
接続部１ｃは改修用支持架台１を既設支持部材３に接続固定するためのものであり、他物取付部１ｂが設置されている本体１ａの上板１ａ−１とは対向する側に設けられている。接続部１ｃは既存支持部材３の他物取付部の形状に応じてさまざまな形態をとることができる。図２に示した接続部１ｃはメネジを有するナットであり、支持部１ｄにより本体１ａに支持固定されている。
【００１８】
支持部１ｄは本体１ａに接続部１ｃを支持固定するためのものである。例えば、図２の（２−１），（２−２）の場合は、円柱形状の本体１ａの底面が支持部１ｄとなっており、底面の支持部１ｄにメネジを有するナットである接続部１ｃが埋設されている。図２の（２−１），（２−２）の場合、メネジを有するナットである接続部１ｃの代わりに底面である支持部１ｄに直接メネジを形成して接続部１ｃとしてもよい。
【００１９】
また図２の（２−３），（２−４）の場合は、本体１ａの上板１ａ−１に連結された支柱が支持部１ｄとなり、その先端にメネジを有するナットである接続部１ｃが支持固定されている。図２の（２−３），（２−４）の場合、本体１ａの上板１ａ−１に連結された支柱である支持部１ｄの先端部に直接メネジを形成して接続部１ｃとしてもよい。支持部１ｄの形態は図２の実施形態に限らず接続部１ｃと既存支持部材３の他物取付部の形状に応じてさまざまな形態をとることができる。
【００２０】
また改修用支持架台１の本体１ａの側板１ｂの上板１ａ−１とは対向する側の端部には、図２の（２−２），（２−４）にあるような本体１ａの外側に張り出した張出部１ｅを設けることができる。張出部１ｅを設けることで、より安定して改修用支持架台１を既設支持部材３に接続する効果をもたらすことが可能である。
【００２１】
続いて改修用支持架台を用いた改修防水構造について図１〜図３により説明する。
図１の改修防水構造について説明する。下地５の上に既設支持部材３である支持部材３´がボルト３ｂにより固定され、下地５の上面は防水シート４ａで被覆され、既設支持部材３の上面及び既設支持部材３の周辺部の防水シート４ａの上面にわたって増し張りシート４ｂで被覆されており、それぞれの境界面が接着又は溶着により接合され、既設防水層４が形成されている。なお、図１では太陽光パネル等の設置物は既設支持部材にレール等を介して固定されていたが改修の際に一時的に撤去されている。
【００２２】
既設支持部材３である支持部材３´の他物取付部３ａに図２の（２−１）に示した改修用支持架台１´の接続部１ｃが接続し既設支持部材３である支持部材３´と改修用支持架台１´とが接続されている。これにより改修用支持架台１´が固定されることとなる。既設防水層４の上には絶縁層６である絶縁シート６´が敷設固定され、その上から防水シート２ａが敷設され接着されて新設防水層２が形成されている。防水シート２ａの端部は改修用支持架台１の本体１ａの側板１ａ−２に沿って立ち上げられ、防水シート２ａと側板１ａ−２とは水密状態に接合されている。
【００２３】
ここで本実施形態では、設置物を固定するために用いられていた既設支持部材３の他物取付部３ａを利用し、設置物を撤去した他物取付部３ａに改修用支持架台１の接続部１ｃをねじ込むことで改修用支持架台１が既設支持部材３に固定されている。このように下地５に対し固定された既設支持部材３を介して改修用支持架台１が下地５に対し固定されている。
また、改修用支持架台１は既設支持部材３と接続されればよいので、既設支持部材３には接続部１ｃと接続可能な部位が設けられていればよい。したがって、接続部１ｃは他物取付部３ａ以外の部位で既設支持部材３と接続されていてもよいし、改修に際して既設支持部材３に接続部１ｃとの接続に用いられる部位を新たに設けても良い。
【００２４】
既設防水層４と新設防水層２との間には絶縁層６が敷設されることが好ましい。絶縁層６としては絶縁シートや無機質板などを用いることができる。また防水シート２ａと側板１ａ−２とを水密状態に接合するため、改修用支持架台１は少なくともその表面が防水シート２ａと密着性のよいものからなることが好ましい。例えば、防水シート２ａがポリ塩化ビニル系樹脂製のものであれば、改修用支持架台１の表面はポリ塩化ビニル系樹脂で覆われていることが好ましい。
【００２５】
図３の改修防水構造について説明する。下地５の上に既設支持部材３である支持架台３´´が固定され、既設支持部材３である支持架台３´´が設置された部分を除く下地５の上面は断熱材４ｃが敷設され、断熱材４ｃの上面は防水シート４ａで被覆され、既設支持部材３の上面及び既設支持部材３の周辺部の防水シート４ａの上面にわたって増し張りシート４ｂで被覆されており、それぞれの境界面が接着又は溶着により接合され、既設防水層４が形成されている。
【００２６】
既設支持部材３である支持架台３´´の他物取付部３ａに図２の（２−２）に示した改修用支持架台１´´の接続部１ｃが接続し既設支持部材３である支持架台３´´と改修用支持架台１´´とが接続されている。既設防水層４の上には絶縁層６である無機質板６´´が敷設固定され、その上から防水シート２ａが敷設され接着されて新設防水層２が形成されている。防水シート２ａの端部は改修用支持架台１´´の本体１ａの側板１ａ−２に沿って立ち上げられ、防水シート２ａと側板１ａ−２とは水密状態に接合されている。
【００２７】
図１および図３に示した実施形態では、既存防水層４の上側に既設支持部材３の他物取付部３ａの高さが低く形成されている。増し張りシート４ｂの上側には他物取付部３ａがあるが、その高さは低いため、他物取付部３ａ周辺において水密に新設防水層２を設けるのが困難となる場合ある。このような場合においても、改修用支持架台１を既設支持部材３に接続することで、水密かつ簡単に改修を行うことができる。
【００２８】
なお、新設防水シート２ａと改修用支持架台１の接合端縁部等にはシーラー等による端末処理を施しても良い。
【００２９】
改修用支持架台を用いた改修防水工法について図１、図３により説明する。
図１の改修防水工法について説明する。下地５の上に固定されている既設支持部材３である支持部材３´の他物取付部３ａであるオネジに図２の（２−１）に示した改修用支持架台１´の接続部１ｃであるナットを螺合させ、既設支持部材３に改修用支持架台１をねじ込むようにして接続する。続いて既設防水層４の上に絶縁層６である絶縁シート６´を敷設固定し、その上から防水シート２ａを敷設して絶縁シート６´と防水シート２ａを接着固定する。防水シート２ａの端部を改修用支持架台１´の本体１ａの側板１ａ−２に沿って立ち上げ、防水シート２ａと側板１ａ−２とを水密状態に接合する。
【００３０】
図３の改修防水工法について説明する。下地５の上に固定されている既設支持部材３である支持架台３´´の他物取付部３ａであるオネジに図２の（２−２）に示した改修用支持架台１´´の接続部１ｃであるナットを螺合して接続し、既設支持部材３´´と改修用支持架台１´´とを接続する。続いて既設防水層４の上に絶縁層６である無機質板６´´を敷設固定し、その上から防水シート２ａを敷設して無機質板６´´と防水シート２ａを接着固定する。防水シート２ａの端部を改修用支持架台１´´の本体１ａの側板１ａ−２に沿って立ち上げ、防水シート２ａと側板１ａ−２とを水密状態に接合する。
なお、図１、図３では改修にあたり太陽光パネル等の設置物は既設支持部材にレール等を介して固定されていたが改修の際に一時的に撤去されている。
【産業上の利用可能性】
【００３１】
本発明の改修用支持架台及びこれを用いた改修防水構造とすることで、既設の支持部材や既設防水層の大部分を撤去する必要がなく、作業が簡便であり廃材が多く出ることもないため、太陽光パネルなどが設置された屋上の改修用途として有用に用いることができる。
【符号の説明】
【００３２】
１      改修用支持架台
１ａ    本体
１ａ−１  上板
１ａ−２  側板
１ｂ    他物取付部
１ｃ    接続部
１ｄ    支持部
１ｅ    張出部
２      新設防水層
２ａ    防水シート
３      既設支持部材
３ａ    他物取付部
４      既設防水層
４ａ    防水シート
４ｂ    増し張りシート
５      下地
６      絶縁層
【図１】
0006752562.tif 000002
【図２】
0006752562.tif 000003
【図３】
0006752562.tif 000004